(57)【要約】【課題】電解液の補充または交換等により再生が可能なパウチ型二次電池を提供する。【解決手段】本記載に係る二次電池は、正極、負極及び前記正極と前記負極の間に配置されるセパレータを含む電極組立体、前記電極組立体を収容するケース、前記ケースの一側辺に位置して電解液注入口を形成する電解液注入部材、及び前記電解液注入口を覆って密閉する密封部材を含む。【選択図】図１
2011253797.tif 000002
【特許請求の範囲】
【請求項１】
正極、負極及び前記正極と前記負極との間に配置されるセパレータを含む電極組立体、
前記電極組立体を収容するケース、
前記ケースの一側辺に位置して電解液注入口を形成する電解液注入部材、及び
前記電解液注入口を覆って密閉する密封部材、
を含むことを特徴とする、二次電池。
【請求項２】
前記ケースはパウチ型からなることを特徴とする、請求項１に記載の二次電池。
【請求項３】
前記密封部材は、前記電解液注入口の上部を覆う密封部、及び前記電解液注入口に挿入される挿入部を含むことを特徴とする、請求項１に記載の二次電池。
【請求項４】
前記挿入部の外面及び前記電解液注入口の内面に、互いに噛み合うねじ山が各々形成されることを特徴とする、請求項３に記載の二次電池。
【請求項５】
前記密封部材は、前記電解液注入部材の外側を囲む縁部をさらに含むことを特徴とする、請求項３に記載の二次電池。
【請求項６】
前記挿入された密封部材の密封部上面は、前記ケースの一側辺と同じ高さであることを特徴とする、請求項３に記載の二次電池。
【請求項７】
前記電解液注入部材は、前記ケースの一側辺に突出して形成されることを特徴とする、請求項１に記載の二次電池。
【請求項８】
前記電解液注入部材は、前記ケースの一側辺に凹んで形成されることを特徴とする、請求項１に記載の二次電池。
【請求項９】
前記密封部材は隔膜で形成されることを特徴とする、請求項１に記載の二次電池。
【請求項１０】
前記密封部材は、熱融着によって前記電解液注入部材の外側端部に付着されることを特徴とする、請求項９に記載の二次電池。
【請求項１１】
前記電解液注入部材は、ポリプロピレン（ｐｏｌｙｐｒｏｐｙｌｅｎｅ、ＰＰ）及びポリエチレン（ｐｏｌｙｅｔｈｙｌｅｎｅ、ＰＥ）のうちのいずれか一つで形成されることを特徴とする、請求項１に記載の二次電池。
【請求項１２】
前記電解液注入部材は、前記ケースと一体に形成されることを特徴とする、請求項１に記載の二次電池。
【請求項１３】
前記正極と連結されて前記パウチ外部に突出する正極タップ、及び
前記負極と連結されて前記パウチ外部に突出する負極タップを含み、
前記電解液注入部材は、前記正極タップ及び前記負極タップが形成されるケースの一側辺とは異なる一側辺に形成されることを特徴とする、請求項１に記載の二次電池。
【請求項１４】
電極組立体、前記電極組立体を収容するケース、前記ケースの一側辺に位置する電解液注入部材、及び前記電解液注入部材を密閉する密封部材を含む二次電池を用意する段階、
前記二次電池の密封部材を除去する段階、
電解液容器を前記二次電池の前記電解液注入部材と連結する段階、
前記二次電池及び前記電解液容器内の圧力差を利用して電解液を注入させる段階、及び
前記電解液容器及び前記二次電池の前記電解液注入部材の連結を解除する段階、
を含むことを特徴とする、二次電池の電解液注入方法。
【請求項１５】
前記密封部材は、前記電解液注入部材の上部を覆う密封部、及び前記電解液注入部材に挿入される挿入部を含み、
前記密封部材を除去する段階は、前記電解液注入部材に挿入された前記密封部材の挿入部を抜く方式で行われることを特徴とする、請求項１４に記載の二次電池の電解液注入方法。
【請求項１６】
前記密封部材は前記電解液注入部材の上部を覆う隔膜で形成され、
前記密封部材を除去する段階は、前記隔膜をグラインディングしたり切断する方式で行われることを特徴とする、請求項１４に記載の二次電池の電解液注入方法。
【発明の詳細な説明】
【技術分野】
【０００１】
本発明は二次電池に関し、より詳しくは、電池の外装ケースがパウチ型で構成される二次電池に関する。
【背景技術】
【０００２】
二次電池（ｒｅｃｈａｒｇｅａｂｌｅ  ｂａｔｔｅｒｙ）は充電が不可能な一次電池とは異なって充放電が可能な電池である。低容量の二次電池は携帯電話やノートパソコン及びカムコーダのように携帯が可能な小型電子機器に使われ、大容量の二次電池はハイブリッド自動車などのモータ駆動用電源及び電力貯蔵用電池などで幅広く使用されている。
【０００３】
このような二次電池は、正極、負極及びセパレータで構成される電極組立体、及びこれを内蔵するケースを含むが、その形状により円型、角型、及びパウチ型などに区分される。
【０００４】
この中、パウチ型二次電池は、電極組立体がパウチ形状のケースに内蔵されて密閉される構造を有する。従って、パウチ型二次電池の構造によって、電池製作時に電解液を注入した後の電解液の補充や交換が難しくなる。このため、パウチ型二次電池の使用中に電解液注液の不良が発生する場合にも再作業ができず、電解液の枯渇及びガス発生等によって電池の寿命が短縮する場合にも再生不能となる。このような構造的な限界は、パウチ型二次電池を大容量電池として使用する場合に特に問題となる。
【発明の概要】
【発明が解決しようとする課題】
【０００５】
本発明は前述した問題を解決するためのものであって、本発明の目的は、電解液の補充または交換等により再生が可能なパウチ型二次電池を提供することである。
【課題を解決するための手段】
【０００６】
本発明の第１実施形態に係る二次電池は、正極、負極及び前記正極と前記負極との間に配置されるセパレータを含む電極組立体、及び前記電極組立体を収容するケースを含む。また、前記ケースの一側辺に位置して電解液注入口を形成する電解液注入部材、及び前記電解液注入口を覆って密閉する密封部材を含む。
【０００７】
前記ケースはパウチ型に形成されてもよい。
【０００８】
前記密封部材は、前記電解液注入口の上部を覆う密封部、及び前記電解液注入口に挿入される挿入部を有してもよい。
【０００９】
前記挿入部の外面及び前記電解液注入口の内面に、互いに噛み合うねじ山が各々形成されてもよく、前記密封部材は前記電解液注入部材の外側を囲む縁部をさらに含んでもよい。また、前記挿入された密封部材の密封部の上面は、前記パウチの一側辺と同じ高さをなしてもよい。
【００１０】
前記電解液注入部材は前記ケースの一側辺に突出して形成されてもよく、前記電解液注入部材は前記ケースの一側辺に凹んで形成されてもよい。
【００１１】
前記密封部材は隔膜で形成されてもよく、この時、前記密封部材は熱融着によって前記電解液注入部材の外側端部に付着されてもよい。
【００１２】
前記電解液注入部材は、ポリプロピレン（ｐｏｌｙｐｒｏｐｙｌｅｎｅ、ＰＰ）またはポリエチレン（ｐｏｌｙｅｔｈｙｌｅｎｅ、ＰＥ）のうちのいずれか一つで形成されてもよく、前記電解液注入部材は前記ケースと一体に形成されてもよい。
【００１３】
前記正極と連結されて前記パウチ外部に突出する正極タップ、及び前記負極と連結されて前記パウチ外部に突出する負極タップを含んでもよい。この時、前記電解液注入部材は、前記正極タップ及び前記負極タップが形成されるケースの一側辺とは異なる他一側辺に形成されてもよい。
【００１４】
本発明の第１実施形態に係る二次電池の電解液注入方法は、電極組立体、前記電極組立体を収容するケース、前記ケースの一側辺に位置する電解液注入部材、及び前記電解液注入部材を密閉する密封部材を含む二次電池を用意する段階と、前記二次電池の密封部材を除去する段階と、電解液容器を前記二次電池の前記電解液注入部材と連結する段階と、前記二次電池及び前記電解液容器内の圧力差を利用して電解液を注入する段階と、前記電解液容器及び前記二次電池の前記電解液注入部材の連結を解除する段階を含む。
【００１５】
前記密封部材は、前記電解液注入部材の上部を覆う密封部、及び前記電解液注入部材に挿入される挿入部を含んでもよく、前記密封部材を除去する段階は、前記電解液注入部材に挿入された前記密封部材の挿入部を抜く方式で行われてもよい。
【００１６】
前記密封部材は前記電解液注入部材の上部を覆う隔膜で形成されてもよく、前記密封部材を除去する段階は、前記隔膜をグラインディング（ｇｒｉｎｄｉｎｇ）したり切断する方式で行われてもよい。
【発明の効果】
【００１７】
本発明により、電解液注入部材によって電解液の補充、交換、及びガス排出が可能となって、パウチ型二次電池の再生作業を行うことができる。
【００１８】
また、パウチ型二次電池を大容量電池に使用する場合にも再生できるため、コストダウンにつながる。
【図面の簡単な説明】
【００１９】
【図１】本発明の第１実施形態に係るパウチ型二次電池の斜視図である。
【図２】本発明の第１実施形態に係るパウチ型二次電池の分解斜視図である。
【図３】本発明の図１のＩＩＩ−ＩＩＩ線に沿って切断し、第１実施形態に係るパウチ型二次電池の電解液注入部材を拡大して示した断面図である。
【図４】本発明の第１実施形態に係るパウチ型二次電池の再生工程を説明するために示した図である。
【図５】本発明の第２実施形態に係るパウチ型二次電池の電解液注入部材を拡大して示した断面図である。
【図６】本発明の第３実施形態に係るパウチ型二次電池の電解液注入部材を拡大して示した断面図である。
【図７】本発明の第４実施形態に係るパウチ型二次電池の電解液注入部材を拡大して示した断面図である。
【図８】本発明の第５実施形態に係るパウチ型二次電池の電解液注入部材を拡大して示した断面図である。
【発明を実施するための形態】
【００２０】
以下、添付の図面を参照して、本発明の実施形態について本発明が属する技術分野において通常の知識を有する者が容易に実施できるように詳細に説明する。本明細書及び図面において同一する符号は同一する構成要素を示し、図面に示した各構成の大きさ等は説明の便宜のために任意に示したため、本発明が必ずしも示されたとおりであるとは限られない。
【００２１】
図１及び図２は各々本発明の第１実施形態に係るパウチ型二次電池を示した斜視図及び分解斜視図である。
【００２２】
これらを参照すると、本実施形態に係るパウチ型二次電池１００は、充電と放電を行う電極組立体２０と、電極組立体２０が内蔵されるケース１０を含む。
【００２３】
ケース１０はパウチ型二次電池１００の全体的な外形を形成し、一つ以上のポリマー膜からなるパウチ型で形成され、その内部に電極組立体２０を内蔵する空間を提供する。具体的に、ケース１０は、前面部１１、後面部１２、及び前面部１１と後面部１２とを折畳できるように連結する折畳部１３を含み、前面部１１には電極組立体２０を内蔵できる収容部１５が形成される。しかし、本発明は前記ケースの構造に限定されず、他の形態で組立てられるパウチ型ケースを含む。
【００２４】
電極組立体２０は、正極２１、負極２２、及び正極２１と負極２２との間に配置されるセパレータ２３を含む。具体的に、電極組立体２０は帯状で構成された正極２１と負極２２がセパレータ２３を間に置いて配置され、これらを巻き取ったゼリーロール状（ｊｅｌｌｙ−ｒｏｌｌ）で形成される。
【００２５】
正極２１は正極活物質が塗布された正極活物質層、及び正極活物質が塗布されていない正極無地部を含み、負極２２は負極活物質が塗布された負極活物質層、及び負極活物質が塗布されていない負極無地部を含む。正極無地部及び負極無地部には各々正極タップ２４及び負極タップ２５が形成され、この正極タップ２４及び負極タップ２５は各々電極組立体２０が巻き取られる方向の垂直方向に電極組立体２０から突出するように形成される。しかし、本発明は前記電極組立体の構造に限定されず、他の形態で構成される電極組立体、例えば、スタック状電極組立体等を含む。
【００２６】
図１を参照すると、電極組立体２０がケース１０内の収容部１５に内蔵されて密封される時、正極タップ２４と負極タップ２５はケース１０の一側に突出する。この時、ケース１０と各々の電極タップ２４、２５が接触する部位における絶縁のために、絶縁層２６、２７が追加で形成されてもよい。絶縁層２６、２７は各々の電極タップ２４、２５を囲むように形成されて、電極タップ２４、２５とケース１０の直接的な接触を遮断する。絶縁層２６、２７は短絡を防止する役割の他に、接触部位におけるシーリングにも役に立つ。一方、ケース１０の内面を形成するポリマー膜と各々の電極タップ２４、２５または絶縁層２６、２７の間の接着を強化するために、ポリマー膜の表面に接着性が強い成分を含有させてもよい。
【００２７】
本実施形態に係るパウチ型二次電池１００は、電極タップ２４、２５が突出してない他側辺に形成された電解液注入部材３０を含む。電解液注入部材３０の中央部には注入口３２が形成されて、これを介して電解液を注入したり排出できるようになる。電解液注入部材３０は密封部材４０で覆われていて、注入口３２を介した電解液の漏洩を防止する。
【００２８】
図３は図１のＩＩＩ−ＩＩＩ線に沿って切断し、第１実施形態に係るパウチ型二次電池の電解液注入部材の部分を拡大して示した断面図であり、下記ではこれを参照して、本実施形態における電解液注入部材３０と密封部材４０について具体的に説明する。
【００２９】
電解液注入部材３０はケース１０とは別に形成されて、ケース１０の前面部１１及び後面部１２によって密閉される構造からなる。電解液注入部材３０は中心部に前記ケース１０の内部と外部を連通させる注入口３２を形成し、注入口３２は電極組立体２０が内蔵されたケース１０の収容部１５と連結される。注入口３２はその中心軸に対して垂直に切断した横断面の形状が円形で形成されるが、これに限定されず、多様な断面形状で形成されてもよい。
【００３０】
本実施形態において、電解液注入部材３０は変性ポリマーで形成される。例えば、電解液注入部材３０は、ポリプロピレン（ｐｏｌｙｐｒｏｐｙｌｅｎｅ、ＰＰ）またはポリエチレン（ｐｏｌｙｅｔｈｙｌｅｎｅ、ＰＥ）で形成される。電解液注入部材３０はケース１０とは別に形成されることを示しているが、ポリマー膜で構成されたケース１０の形状を変形することによって、ケース１０と一体に形成してもよい。
【００３１】
本実施形態において、密封部材４０は密封部４１及び挿入部４３を含むキャップ構造で形成される。密封部４１は電解液注入部材３０の上面を覆うように形成され、挿入部４３は密封部４１の一面から突出して電解液注入部材３０の注入口３２に挿入されるように形成される。挿入部４３は電解液注入部材３０を介して電解液が漏れないように注入口３２と同一断面形状を有し、その外径が注入口３２の内径と一致するように形成されてもよい。また、密封部材４０は、電解液注入部材３０と同様にポリプロピレンまたはポリエチレンなどの変性ポリマーで形成されてもよい。
【００３２】
図４は第１実施形態に係るパウチ型二次電池の再生工程を説明するために示した図面であり、これを参照して、パウチ型二次電池１００に電解液を補充したり交換する過程を説明する。
【００３３】
電解液の補充のために、電解液が貯蔵されている電解液容器５０の連結部５１を密封部材４０が除去されたパウチ型二次電池１００の電解液注入部材３０と連結する。この時、電解液容器５０内の電解液は、パウチ型二次電池１００内の電解液より相対的に高い圧力で貯蔵されている。このような圧力の差によって、電解液注入部材３０の注入口３２を介して電解液容器５０からパウチ型二次電池１００内部に電解液が移動する。
【００３４】
電解液の補充過程と同様に、電解液の交換のためにパウチ型二次電池１００内において電解液を除去する過程においても、電解液容器５０の連結部５１をパウチ型二次電池１００の電解液注入部材３０と連結する。但し、電解液容器５０内の電解液は、パウチ型二次電池１００内の電解液より相対的に低い圧力で貯蔵されことになる。または、電解液容器５０内の電解液を除去して真空状態を維持したままでパウチ型二次電池１００と連結してもよい。これによる圧力の差によって、電解液注入部材３０の注入口を介してパウチ型二次電池１００の内部から電解液容器５０に電解液が移動する。このような電解液除去過程と前述した電解液補充過程を連続的に行うことによって電解液を交換できる。
【００３５】
一方、電解液容器５０の連結部５１は、電解液注入部材３０と連結される部分の形状が密封部材４０と類似して形成されてもよい。即ち、連結部５１は、その一側端部に密封部（図示せず）及び挿入部（図示せず）を含んでもよい。密封部は電解液の注入過程において電解液注入部材３０の上面を覆う役割を果たし、挿入部は電解液注入口に挿入されて電解液の通路の役割を果たす。このような構造によって、電解液を補充したり除去する過程における電解液の漏れを防止することができる。
【００３６】
また、連結部５１の一側端部に形成される密封部と電解液注入部材３０の上面は、ガスケット（図示せず）を間において接触してもよい。ガスケットは連結部５１の密封部と電解液注入部材３０の間の密封のためのものであって、ガスケットを追加することによって電解液を補充したり除去する過程における電解液の漏れを確実に防止することができる。
【００３７】
このように、本実施形態において、パウチ型二次電池１００にキャップ構造の電解液注入部材３０を追加で形成することによって、電解液の補充及び交換が可能となる。また、電解液の排出過程と類似する方法でパウチ型二次電池１００内のガスも排出できる。これにより、パウチ型二次電池１００を大容量電池として使用する場合においても、再生を通して寿命を延長することができる。
【００３８】
以下、図５乃至図８を参照して、本発明の他の実施形態に係るパウチ型二次電池について説明する。この時、他の実施形態において、第１実施形態と同一する構成については簡略に説明したり説明を省略する。
【００３９】
図５は本発明の第２実施形態に係るパウチ型二次電池の電解液注入部材の部分を拡大して示した断面図である。
【００４０】
図５を参照すると、本実施形態における電解液注入部材１３０は、中心部に注入口１３２を含み、注入口１３２が電極組立体が内蔵されたケース１０の収容部と連結される構造を有する。この時、電解液注入部材１３０はケース１０とは別に形成されるが、ケース１０の形状を変更して、ケース１０自体に電解液注入口が形成される構造であってもよい。また、注入口１３２の断面形状は円形等の多様な形状で形成されてもよい。
【００４１】
本実施形態に係る密封部材１４０は、密封部１４１及び挿入部１４３を含むキャップ構造で形成される。密封部１４１は電解液注入部材１３０の上面を覆うように形成され、挿入部１４３は密封部１４１の一面から突出して電解液注入部材１３０の注入口１３２に挿入されるように形成される。挿入部１４３は、電解液注入部材１３０を介して電解液が漏れないように注入口１３２と同一断面形状を有し、その外径が注入口１３２の内径と一致するように形成されてもよい。
【００４２】
一方、本実施形態では、互いに接触する電解液注入部材１３０の注入口１３２の内面と密封部材１４０の挿入部１４３の外面に、互いに噛み合うようにねじ山が形成されている。これによって、密封部材１４０はねじ締結方式で電解液注入部材１３０の注入口１３２に挿入されて、密封性をさらに向上して、電解液の補充または交換をより容易に行えるようになる。
【００４３】
図６は本発明の第３実施形態に係るパウチ型二次電池の電解液注入部材の部分を拡大して示した断面図である。
【００４４】
図６を参照すると、本実施形態における電解液注入部材２３０は、中心部に注入口２３２を含み、注入口２３２が電極組立体が内蔵されたケース１０の収容部と連結される構造を有する。この時、電解液注入部材２３０はケース１０とは別に形成されるが、ケース１０の形状を変更して、ケース１０自体に電解液注入口が形成される構造であってもよい。また、注入口２３２の断面形状は円形などの多様な形状で形成されてもよい。
【００４５】
本実施形態における密封部材２４０は、密封部２４１、挿入部２４３、及び縁部２４５を含むキャップ構造で形成される。密封部２４１は電解液注入部材２３０の上面を覆うように形成され、挿入部２４３は密封部２４１の一面の中心部から突出して電解液注入部材２３０の注入口２３２に挿入されるように形成される。また、縁部２４５は密封部２４１の一面の周縁で挿入部２４３と同一方向に突出して、挿入部２４３が電解液注入部材２３０の注入口２３２に挿入される時、電解液注入部材２３０の周囲を囲むように形成される。この時、挿入部２４３は、電解液注入部材２３０を介して電解液が漏洩しないように注入口２３２と同一断面形状を有し、その外径が注入口２３２の内径と一致するように形成されてもよい。また、縁部２４５は、その内径が電解液注入部材２３０の外径と一致するように形成されてもよい。
【００４６】
このように、密封部材２４０が縁部２４５を含むことによって、電解液注入部材２３０の注入口２３２を介して電解液が漏洩することをより確実に防止できるようになる。
【００４７】
図７は本発明の第４実施形態に係るパウチ型二次電池の電解液注入部材の部分を拡大して示した断面図である。
【００４８】
図７を参照すると、本実施形態においては、電解液注入部材３３０がケース１０の外部に突出しないように形成される。具体的に、電解液注入部材３３０の一端部がケース１０の一面と一致するように配置された後、ケース１０の前面部及び後面部によって密閉される構造で形成される。
【００４９】
電解液注入部材３３０は中心部に注入口３３２を含み、注入口３３２は電極組立体が内蔵されたケース１０の収容部と連結される構造を有する。また、電解液注入部材３３０は、注入口３３２に密封部材３４０が挿入された後に支持されるように、段差が形成される支持部３３４をさらに含む。
【００５０】
本実施形態において、電解液注入部材３３０はケース１０とは別に形成されるが、ケース１０の形状を変更して、ケース１０自体に電解液注入口が形成される構造で構成されてもよい。一方、注入口３３２の断面形状は円形等の多様な形状で形成されてもよい。
【００５１】
本実施形態における密封部材３４０は、密封部３４１及び挿入部３４３を含むキャップ構造で形成される。密封部３４１は電解液注入部材３３０の支持部３３４の上面を覆うように形成され、挿入部３４３は密封部３４１の一面の中心部から突出して電解液注入部材３３０の注入口３３２に挿入されるように形成される。この時、挿入部３４３は、電解液注入部材３３０を介して電解液が漏洩しないように注入口３３２と同一断面形状を有し、その外径が注入口３３２の内径と一致するように形成されてもよい。また、密封部３４１は支持部３３４の上面と同一断面形状を有し、挿入部３４３が注入口３３２に挿入される時、密封部材３４０がケース１０の外部に突出しない程度の厚さを有してもよい。
【００５２】
このような密封部材３４０の構成により、電解液注入部材３３０の注入口３３２を介した電解液の漏れをより確実に防止することができる。これと同時に、電解液注入部材３３０がケース１０の外部に突出しないため、パウチ型二次電池の外形が簡潔となる。
【００５３】
図８は本発明の第５実施形態に係るパウチ型二次電池の電解液注入部材の部分を拡大して示した断面図である。
【００５４】
図８を参照すると、本実施形態における電解液注入部材４３０は、中心部に注入口４３２を含み、注入口４３２は電極組立体が内蔵されたケース１０の収容部と連結される構造からなる。電解液注入部材４３０はケース１０とは別に形成されるが、ケース１０の形状を変更して、ケース１０自体に電解液注入口が形成される構造からなってもよい。一方、注入口４３２の断面形状は円形などの多様な形状で形成されてもよい。
【００５５】
本実施形態は前述した実施形態とは異なって、密封部材４４０がキャップ構造ではない隔膜で形成されている。即ち、電解液注入部材４３０の注入口４３２に挿入される別の挿入部が存在せず、隔膜が電解液注入部材４３０の上面を覆う構造を有する。隔膜で形成された密封部材４４０は電解液注入部材４３０の上面に脱着できないように接着されて、電解液が電解液注入部材４３０の注入口４３２を介して漏れることを防止する。隔膜が脱着できないように電解液注入部材４３０の上面に接着させるため、接触表面に熱と圧力を加えて接着させる熱融着等の方法を使用することができる。
【００５６】
密封部材４４０が隔膜で形成されて脱着ができないように接着される構造を有するため、パウチ型二次電池に電解液を補充したり交換が必要な場合には、隔膜または電解液注入部材４３０の上面をグラインダーを利用してグラインディングしたり切断する方法を利用する。隔膜または電解液注入部材４３０の上面をグラインディングしたり切断した後、図４で示したように電解液を注入または排出させ、電解液の補充または交換が完了した後には熱融着などの方法で隔膜を電解液注入部材４３０の上面に接着させる。
【００５７】
前記電解液の補充または交換過程は繰り返して行われなければならないが、電解液注入部材４３０はパウチ型二次電池の寿命及び再生頻度等を考慮して、十分な長さを有するように形成しなければならない。即ち、電解液注入部材４３０のケース１０の外部に突出する長さが一回の電解液補充または交換過程で短くなる長さと再生回数をかけた値より大きく形成しなければならない。
【００５８】
本実施形態の密封部材４４０の形状により、外圧または衝撃によって密封部材が脱落する危険を防止して、電解液の漏れを防止することができる。
【００５９】
以上、本発明を望ましい実施形態によって説明したが、本発明はこれらの実施形態に限定されない。つまり、電解液注入部材と密封部材は前述した実施形態の他に多様な形状で形成され、これらの形成位置等も前述した実施形態及び図面に示した通りとは限らない。このように、本発明の範囲は特許請求の範囲の記載によって決定され、特許請求の範囲の概念と範囲を逸脱しない限り多様な修正及び変形が可能であることを本発明が属する技術分野の当業者は簡単に理解できるであろう。
【符号の説明】
【００６０】
１００      二次電池
１０      ケース
１１      前面部
１２      後面部
１３      折畳部
１５      収容部
２０      電極組立体
２１      正極
２２      負極
２３      セパレータ
２４      正極タップ
２５      負極タップ
２６、２７  絶縁層
３０、１３０、２３０、３３０、４３０      電解液注入部材
４０、１４０、２４０、３４０、４４０      密封部材
５０      電解液容器
【図１】
2011253797.tif 000003
【図２】
2011253797.tif 000004
【図３】
2011253797.tif 000005
【図４】
2011253797.tif 000006
【図５】
2011253797.tif 000007
【図６】
2011253797.tif 000008
【図７】
2011253797.tif 000009
【図８】
2011253797.tif 000010